(57)【要約】【課題】ネットワーク対応の外部記録再生装置に確実に高ビットレートのデータを伝送することができ、他の通信データの伝送にも影響を与えないようにする。【解決手段】  デジタルテレビジョン放送受信装置において、主にコンテンツ記録再生専用とする専用ネットワークに接続される第１の端子と、一般データ通信に用いる汎用ネットワークに接続される第２の端子とを備え、前記第１、第２の端子それぞれに接続される記録再生装置を認識し、コンテンツ記録時に当該コンテンツの伝送モード、伝送レート、前記汎用ネットワークの回線品質の少なくともいずれかを自動的に認識し、前記状態認識手段の認識結果に基づいて前記コンテンツの記録先を前記第１の端子と第２の端子のいずれか一方に接続される記録再生装置に自動的に決定するようにした。【選択図】    図６
2006094438.tif 000002
【特許請求の範囲】
【請求項１】
主にコンテンツ記録再生専用とする専用ネットワークに接続される第１の端子と、
一般データ通信に用いる汎用ネットワークに接続される第２の端子と、
前記第１、第２の端子それぞれに接続される記録再生装置を認識する装置認識手段と、
コンテンツ記録時に当該コンテンツの伝送モード、伝送レート、前記汎用ネットワークの回線品質の少なくともいずれかを自動的に認識する状態認識手段と、
前記状態認識手段の認識結果に基づいて前記コンテンツの記録先を前記第１の端子と第２の端子のいずれか一方に接続される記録再生装置に自動的に決定する記録先選択手段とを具備することを特徴とする情報処理装置。
【請求項２】
前記状態認識手段が、前記コンテンツの伝送モードが高品位情報である、あるいは伝送レートが規定ビットレートに達すると認識するとき、
前記記録先選択手段は、前記コンテンツの記録先を前記第１の端子に接続される専用ネットワーク上の記録再生装置とすることを特徴とする請求項１記載の情報処理装置。
【請求項３】
前記状態認識手段が、前記汎用ネットワークの回線品質が規定値を満たしていない状態と認識するとき、
前記記録先選択手段は、前記汎用ネットワークに接続される記録再生装置へのコンテンツ伝送を前記専用ネットワークに接続される記録再生装置へのコンテンツ伝送に切り替えることを特徴とする請求項１記載の情報処理装置。
【請求項４】
前記状態認識手段が、前記汎用ネットワークに接続される記録再生装置の記録容量の残量が規定値に満たないと認識するとき、
前記記録先選択手段は、前記汎用ネットワークに接続される記録再生装置へのコンテンツ伝送を前記専用ネットワークに接続される記録再生装置へのコンテンツ伝送に切り替えることを特徴とする請求項１記載の情報処理装置。
【請求項５】
さらに、前記記録先選択手段が前記専用ネットワークに接続される記録再生装置へのコンテンツ伝送を実行している際に前記専用ネットワーク上の記録再生装置へのアクセス要求があったときはその要求を拒否し、非伝送中のときにアクセス要求を受け付けるアクセス要求対応手段を備えることを特徴とする請求項１記載の情報処理装置。
【請求項６】
前記装置認識手段は、ユーザの使用機器選択時に、前記第１の端子に接続される装置と前記第２の端子に接続される装置とを識別表示することを特徴とする請求項１記載の情報処理装置。
【請求項７】
主にコンテンツ記録再生専用とする専用ネットワークに接続される第１の端子と、一般データ通信に用いる汎用ネットワークに接続される第２の端子とを備える情報処理装置に用いられ、
前記第１、第２の端子それぞれに接続される記録再生装置を認識する装置認識過程と、
コンテンツ記録時に当該コンテンツの伝送モード、伝送レート、前記汎用ネットワークの回線品質の少なくともいずれかを自動的に認識する状態認識過程と、
前記状態認識過程の認識結果に基づいて前記コンテンツの記録先を前記第１の端子と第２の端子のいずれか一方に接続される記録再生装置に自動的に決定する記録先選択過程とを具備することを特徴とする情報処理装置の記録先制御方法。
【請求項８】
前記状態認識過程が、前記コンテンツの伝送モードが高品位情報である、あるいは伝送レートが規定ビットレートに達すると認識するとき、
前記記録先選択過程は、前記コンテンツの記録先を前記第１の端子に接続される専用ネットワーク上の記録再生装置とすることを特徴とする請求項７記載の情報処理装置の記録先制御方法。
【請求項９】
前記状態認識過程が、前記汎用ネットワークの回線品質が規定値を満たしていない状態と認識するとき、
前記記録先選択過程は、前記汎用ネットワークに接続される記録再生装置へのコンテンツ伝送を前記専用ネットワークに接続される記録再生装置へのコンテンツ伝送に切り替えることを特徴とする請求項７記載の情報処理装置の記録先制御方法。
【請求項１０】
前記状態認識過程が、前記汎用ネットワークに接続される記録再生装置の記録容量の残量が規定値に満たないと認識するとき、
前記記録先選択過程は、前記汎用ネットワークに接続される記録再生装置へのコンテンツ伝送を前記専用ネットワークに接続される記録再生装置へのコンテンツ伝送に切り替えることを特徴とする請求項７記載の情報処理装置の記録先制御方法。
【請求項１１】
さらに、前記記録先選択過程が前記専用ネットワークに接続される記録再生装置へのコンテンツ伝送を実行している際に前記専用ネットワーク上の記録再生装置へのアクセス要求があったときはその要求を拒否し、非伝送中のときにアクセス要求を受け付けるアクセス要求対応過程を備えることを特徴とする請求項７記載の情報処理装置の記録先制御方法。
【請求項１２】
前記装置認識過程は、ユーザの使用機器選択時に、前記第１の端子に接続される装置と前記第２の端子に接続される装置とを識別表示することを特徴とする請求項７記載の情報処理装置の記録先制御方法。
【発明の詳細な説明】
【技術分野】
【０００１】
この発明は、例えば番組記録再生が可能なネットワーク対応の映像記録再生装置を外部接続可能とするデジタルテレビ受信機等の情報処理装置に係り、映像記録再生装置がいわゆるおっかけ再生が可能な場合の外部機器制御方法に関する。
【背景技術】
【０００２】
周知のように、近年では、テレビジョン放送のデジタル化が推進されている。例えば、日本国内においては、ＢＳ（Broadcasting Satellite）デジタル放送及び１１０度ＣＳ（Communication Satellite）デジタル放送等の衛星デジタル放送だけでなく、地上デジタル放送も開始されている。
【０００３】
そして、このようなデジタルテレビジョン放送を受信するデジタル放送受信装置にあっては、例えばＨＤＤ（Hard Disk Drive）、ＤＶＤ（Digital Versatile Disk）のような大容量のデジタル記録再生機器を外部接続することにより、受信した番組をデジタル記録したり、記録した番組を再生したりすることが可能となっている。特に、ＬＡＮ（Local Aria Network）端子を搭載してネットワーク接続機能が装備され、デジタル放送あるいはアナログ放送などの番組コンテンツをイーサネット（登録商標）のＬＡＮケーブル経由でＬＡＮ対応ＨＤＤに記録したり、インターネットに接続したりすることも可能となってきている。
【０００４】
しかしながら、ＬＡＮ端子に接続されるネットワーク環境によっては、回線品質が安定せず、ハイビジョン画質の映像信号のような高ビットレートのデータをＬＡＮ対応ＨＤＤに伝送できなくなる場合がある。また、そのデータ伝送によって他の通信処理に悪影響を与えることもある。
【０００５】
尚、ＬＡＮ端子を装備したデジタルテレビジョン放送受信装置については、特許文献１に記載されている。しかしながら、この文献に記載のものは、ハイビジョン画質の映像信号のような高ビットレートのデータを他の通信データと共にネットワーク上に配信することは想定されていない。
【特許文献１】特開２００２−３００４８２号公報
【発明の開示】
【発明が解決しようとする課題】
【０００６】
以上述べたように、従来のネットワーク対応の情報処理装置では、ネットワーク上の記録再生装置にハイビジョン画質の映像信号のように高ビットレートが要求されるデータを伝送しようとすると、ネットワーク環境によっては伝送不能となったり、同一ネットワーク上の他の通信データに悪影響を与えたりする場合があった。
【０００７】
そこで、この発明は上記事情を考慮してなされたもので、ネットワーク対応の外部記録再生装置に確実に高ビットレートのデータを伝送することができ、他の通信データの伝送にも影響を与えないようにすることが可能な情報処理装置及びその記録先制御方法を提供することを目的とする。
【課題を解決するための手段】
【０００８】
この発明に係る情報処理装置は、主にコンテンツ記録再生専用とする専用ネットワークに接続される第１の端子と、一般データ通信に用いる汎用ネットワークに接続される第２の端子と、前記第１、第２の端子それぞれに接続される記録再生装置を認識する装置認識手段と、コンテンツ記録時に当該コンテンツの伝送モード、伝送レート、前記汎用ネットワークの回線品質の少なくともいずれかを自動的に認識する状態認識手段と、前記状態認識手段の認識結果に基づいて前記コンテンツの記録先を前記第１の端子と第２の端子のいずれか一方に接続される記録再生装置に自動的に決定する記録先選択手段とを具備することを特徴とするものとである。
【０００９】
また、この発明に係る情報処理装置の記録先制御方法は、主にコンテンツ記録再生専用とする専用ネットワークに接続される第１の端子と、一般データ通信に用いる汎用ネットワークに接続される第２の端子とを備える情報処理装置に用いられ、前記第１、第２の端子それぞれに接続される記録再生装置を認識する装置認識過程と、コンテンツ記録時に当該コンテンツの伝送モード、伝送レート、前記汎用ネットワークの回線品質の少なくともいずれかを自動的に認識する状態認識過程と、前記状態認識過程の認識結果に基づいて前記コンテンツの記録先を前記第１の端子と第２の端子のいずれか一方に接続される記録再生装置に自動的に決定する記録先選択過程とを具備することを特徴とするものである。
【発明の効果】
【００１０】
上記した発明によれば、ネットワーク対応の外部記録再生装置に確実に高ビットレートのデータを伝送することができ、他の通信データの伝送にも影響を与えないようにすることが可能な情報処理装置及びその記録先制御方法を提供することができる。
【発明を実施するための最良の形態】
【００１１】
以下、この発明の実施の形態について図面を参照して詳細に説明する。
【００１２】
図１は、この実施の形態で説明するデジタルテレビジョン放送受信装置１１の外観と、このデジタルテレビジョン放送受信装置１１を中心として構成されるネットワークシステムの一例を概略的に示している。
【００１３】
すなわち、デジタルテレビジョン放送受信装置１１は、主として、薄型のキャビネット１２と、このキャビネット１２を起立させて支持する支持台１３とから構成されている。そして、キャビネット１２には、例えば液晶表示パネル等でなる平面パネル型の映像表示器１４、スピーカ１５、操作部１６、リモートコントローラ１７から送信される操作情報を受ける受光部１８等が設置されている。
【００１４】
また、このデジタルテレビジョン放送受信装置１１には、例えばＳＤ（Secure Digital）メモリカード、ＭＭＣ（Multimedia Card）及びメモリスティック等の第１のメモリカード１９が着脱可能となっており、この第１のメモリカード１９に対して番組や写真等の情報の記録再生が行なわれるようになっている。
【００１５】
さらに、このデジタルテレビジョン放送受信装置１１には、例えば契約情報等の記録された第２のメモリカード（ＩＣカード）２０が着脱可能となっており、この第２のメモリカード２０に対して情報の記録再生が行なわれるようになっている。
【００１６】
また、このデジタルテレビジョン放送受信装置１１は、第１のＬＡＮ（Local Area Network）端子２１、第２のＬＡＮ端子２２、ＵＳＢ（Universal Serial Bus）端子２３及びｉ．Link端子２４を備えている。
【００１７】
このうち、第１のＬＡＮ端子２１は、ＬＡＮ対応ＨＤＤ専用ポートとして使用されるもので、接続されたＮＡＳ（Network Attached Storage）であるＬＡＮ対応のＨＤＤ２５に対して、イーサネット（登録商標）により情報の記録再生を行なうために使用される。
【００１８】
このように、ＬＡＮ対応ＨＤＤ専用ポートとしての第１のＬＡＮ端子２１を設けることにより、他のネットワーク環境やネットワーク使用状況等に影響されることなく、ＨＤＤ２５に対してハイビジョン画質による番組の情報記録を安定して行なうことができる。
【００１９】
また、第２のＬＡＮ端子２２は、イーサネット（登録商標）を用いた一般的なＬＡＮ対応ポートとして使用されるもので、例えばハブ２６を介して、ＬＡＮ対応のＨＤＤ２７、ＰＣ（Personal Computer）２８、ＨＤＤ内蔵のＤＶＤ（Digital Versatile Disk）レコーダ２９等の機器を接続し、これらの機器と情報伝送を行なうために使用される。
【００２０】
なお、ＤＶＤレコーダ２９については、第２のＬＡＮ端子２２を介して通信されるデジタル情報が制御系のみの情報であるため、デジタルテレビジョン放送受信装置１１との間でアナログの映像及び音声情報を伝送するために、専用のアナログ伝送路３０を設ける必要がある。
【００２１】
さらに、この第２のＬＡＮ端子２２は、ハブ２６に接続されたブロードバンドルータ３１を介して、例えばインターネット等のネットワーク３２に接続し、そのネットワーク３２を介してＰＣ３３や携帯電話３４等と情報伝送を行なうために使用される。
【００２２】
また、上記ＵＳＢ端子２３は、一般的なＵＳＢ対応ポートとして使用されるもので、例えばハブ３５を介して、携帯電話３６、デジタルカメラ３７、メモリカードに対するカードリーダ／ライタ３８、ＨＤＤ３９、キーボード４０等のＵＳＢ機器を接続し、これらのＵＳＢ機器と情報伝送を行なうために使用される。
【００２３】
さらに、上記ｉ．Link端子２４は、例えばＡＶ−ＨＤＤ４１、Ｄ（Digital）−ＶＨＳ（Video Home System）４２等をシリアル接続し、これらの機器と情報伝送を行なうために使用される。
【００２４】
図２は、上記したデジタルテレビジョン放送受信装置１１の主要な信号処理系を示している。すなわち、ＢＳ／ＣＳデジタル放送受信用のアンテナ４３で受信した衛星デジタルテレビジョン放送信号は、入力端子４４を介して衛星デジタル放送用のチューナ４５に供給されることにより、所望のチャンネルの放送信号が選局される。
【００２５】
そして、このチューナ４５で選局された放送信号は、ＰＳＫ（Phase Shift Keying）復調器４６に供給されて、デジタルの映像信号及び音声信号に復調された後、信号処理部４７に出力される。
【００２６】
また、地上波放送受信用のアンテナ４８で受信した地上デジタルテレビジョン放送信号は、入力端子４９を介して地上デジタル放送用のチューナ５０に供給されることにより、所望のチャンネルの放送信号が選局される。
【００２７】
そして、このチューナ５０で選局された放送信号は、ＯＦＤＭ（Orthogonal Frequency Division Multiplexing）復調器５１に供給されて、デジタルの映像信号及び音声信号に復調された後、上記信号処理部４７に出力される。
【００２８】
また、上記地上波放送受信用のアンテナ４８で受信した地上アナログテレビジョン放送信号は、入力端子４９を介して地上アナログ放送用のチューナ５２に供給されることにより、所望のチャンネルの放送信号が選局される。そして、このチューナ５２で選局された放送信号は、アナログ復調器５３に供給されてアナログの映像信号及び音声信号に復調された後、上記信号処理部４７に出力される。
【００２９】
ここで、上記信号処理部４７は、ＰＳＫ復調器４６及びＯＦＤＭ復調器５１からそれぞれ供給されたデジタルの映像信号及び音声信号に対して、選択的に所定のデジタル信号処理を施し、グラフィック処理部５４及び音声処理部５５に出力している。
【００３０】
また、上記信号処理部４７には、複数（図示の場合は４つ）の入力端子５６ａ，５６ｂ，５６ｃ，５６ｄが接続されている。これら入力端子５６ａ〜５６ｄは、それぞれ、アナログの映像信号及び音声信号を、デジタルテレビジョン放送受信装置１１の外部から入力可能とするものである。
【００３１】
そして、この信号処理部４７は、上記アナログ復調器５３及び各入力端子５６ａ〜５６ｄからそれぞれ供給されたアナログの映像信号及び音声信号を選択的にデジタル化し、そのデジタル化された映像信号及び音声信号に対して所定のデジタル信号処理を施した後、グラフィック処理部５４及び音声処理部５５に出力している。
【００３２】
このうち、グラフィック処理部５４は、信号処理部４７から供給されるデジタルの映像信号に、ＯＳＤ（On Screen Display）信号生成部５７で生成されるＯＳＤ信号を重畳して出力する機能を有する。このグラフィック処理部５４は、信号処理部４７の出力映像信号と、ＯＳＤ信号生成部５７の出力ＯＳＤ信号とを選択的に出力すること、また、両出力をそれぞれ画面の半分を構成するように組み合わせて出力することができる。
【００３３】
そして、グラフィック処理部５４から出力されたデジタルの映像信号は、映像処理部５８に供給される。この映像処理部５８は、入力されたデジタルの映像信号を、前記映像表示器１４で表示可能なフォーマットのアナログ映像信号に変換したり、表示色を任意に調整したりして、映像表示器１４に出力して映像表示させるとともに、出力端子５９を介して外部に導出させる。この映像処理部５８はリモコン１７からの指示に応答して、制御部６１の制御の基に色調整が可能で、自動色調整モードとユーザが好みによって調整する手動調整モードで動さ可能である。
【００３４】
また、上記音声処理部５５は、入力されたデジタルの音声信号を、前記スピーカ１５で再生可能なフォーマットのアナログ音声信号に変換した後、スピーカ１５に出力して音声再生させるとともに、出力端子６０を介して外部に導出させる。
【００３５】
ここで、このデジタルテレビジョン放送受信装置１１は、上記した各種の受信動作を含むその全ての動作を制御部６１によって統括的に制御されている。この制御部６１は、ＣＰＵ（Central Processing Unit）等を内蔵しており、前記操作部１６からの操作情報を受け、または、リモートコントローラ１７から送出された操作情報を前記受光部１８を介して受信し、その操作内容が反映されるように各部をそれぞれ制御している。
【００３６】
この場合、制御部６１は、主として、そのＣＰＵが実行する制御プログラムを格納したＲＯＭ（Read Only Memory）６２と、該ＣＰＵに作業エリアを提供するＲＡＭ（Random Access Memory）６３と、各種の設定情報及び制御情報等が格納される不揮発性メモリ６４とを利用している。
【００３７】
また、この制御部６１は、カードＩ／Ｆ（Interface）６５を介して、前記第１のメモリカード１９が装着可能なカードホルダ６６に接続されている。これによって、制御部６１は、カードホルダ６６に装着された第１のメモリカード１９と、カードＩ／Ｆ６５を介して情報伝送を行なうことができる。
【００３８】
さらに、上記制御部６１は、カードＩ／Ｆ６７を介して、前記第２のメモリカード２０が装着可能なカードホルダ６８に接続されている。これにより、制御部６１は、カードホルダ６８に装着された第２のメモリカード２０と、カードＩ／Ｆ６７を介して情報伝送を行なうことができる。
【００３９】
また、上記制御部６１は、通信Ｉ／Ｆ６９を介して第１のＬＡＮ端子２１に接続されている。これにより、制御部６１は、第１のＬＡＮ端子２１に接続されたＬＡＮ対応のＨＤＤ２５と、通信Ｉ／Ｆ６９を介して情報伝送を行なうことができる。この場合、制御部６１は、ＤＨＣＰ（Dynamic Host Configuration Protocol）サーバ機能を有し、第１のＬＡＮ端子２１に接続されたＬＡＮ対応のＨＤＤ２５にＩＰ（Internet Protocol）アドレスを割り当てて制御している。
【００４０】
さらに、上記制御部６１は、通信Ｉ／Ｆ７０を介して第２のＬＡＮ端子２２に接続されている。これにより、制御部６１は、第２のＬＡＮ端子２２に接続された各機器（図１参照）と、通信Ｉ／Ｆ７０を介して情報伝送を行なうことができる。
【００４１】
また、上記制御部６１は、ＵＳＢ Ｉ／Ｆ７１を介して前記ＵＳＢ端子２３に接続されている。これにより、制御部６１は、ＵＳＢ端子２３に接続された各機器（図１参照）と、ＵＳＢ Ｉ／Ｆ７１を介して情報伝送を行なうことができる。
【００４２】
さらに、上記制御部６１は、ｉ．Link Ｉ／Ｆ７２を介してｉ．Link端子２４に接続されている。これにより、制御部６１は、ｉ．Link端子２４に接続された各機器（図１参照）と、ｉ．Link Ｉ／Ｆ７２を介して情報伝送を行なうことができる。
【００４３】
図３は、上記リモートコントローラ１７の外観を示している。このリモートコントローラ１７には、主として、電源キー１７ａ、入力切換キー１７ｂ、衛星デジタル放送チャンネルのダイレクト選局キー１７ｃ、地上波放送チャンネルのダイレクト選局キー１７ｄ、クイックキー１７ｅ、カーソルキー１７ｆ、決定キー１７ｇ、番組表キー１７ｈ、ページ切換キー１７ｉ、faceネット（ナビゲーション）キー１７ｊ、戻るキー１７ｋ、終了キー１７ｌ、青，赤，緑，黄のカラーキー１７ｍ、チャンネルアップダウンキー１７ｎ、音量調整キー１７ｏ、メニューキー１７ｐ等が設けられている。
【００４４】
以上のように、上記受信装置１１には、第１及び第２のメモリカード１９，２０を装着するためのカードホルダ６６、６８、ＮＡＳ接続専用の第１のＬＡＮ端子２１、一般のネットワーク対応映像機器と接続するための第２のＬＡＮ端子２２の他、各種映像機器を接続するためのＵＳＢ（Universal Serial Bus）端子２３及びｉ．Link端子２４を備え、いずれも制御部６１によって接続状態が管理されている。これらのホルダまたは端子に映像機器を接続する場合には、手動または自動によって「どこ」に「何」が「いつ」接続されているかを示す接続情報が制御部６１の不揮発性メモリ６４に設定登録される。
【００４５】
ここで、上記したデジタルテレビジョン放送受信装置１１の有する予約機能について説明する。この予約機能には、放送予定されている番組を指定して予約を行なう番組指定予約と、チャンネル及び日時を指定して予約を行なう日時指定予約との２種類がある。また、番組指定予約には、指定した番組を指定した録画機器またはメモリカード等の記録媒体に録画する録画予約と、指定した番組の選局のみを行なう視聴予約とがある。さらに、日時指定予約にも、指定したチャンネル及び日時の放送内容を指定した録画機器またはメモリカードの記録媒体に録画する録画予約と、指定したチャンネル及び日時の放送の選局のみを行なう視聴予約とがある。ここでは説明を簡単にするため、番組指定予約の場合について説明するが、日時指定予測の場合も同様の手法で対応することができる。
【００４６】
図４は、上記デジタルテレビジョン放送受信装置１１に対して、番組指定予約を設定する動作を説明するためのフローチャートを示している。この動作は、ユーザがリモートコントローラ１７の番組表キー１７ｈを操作することにより、開始（ステップＳ４ａ）される。
【００４７】
すると、制御部６１は、ステップＳ４ｂで、放送信号から予め取得しておいたＥＰＧ（Electronic Program Guide）情報に基づいて、図５（ａ）に示すような電子番組表を映像表示器１４に表示させる。
【００４８】
これにより、ユーザは、電子番組表の中から所望の番組を選択設定することができる。この選択設定は、リモートコントローラ１７のカーソルキー１７ｆを操作して所望の番組を選択し、決定キー１７ｇを操作することにより実行される。
【００４９】
このため、制御部６１は、ステップＳ４ｃで、電子番組表の中から所望の番組が選択設定されたことを検知すると、ステップＳ４ｄで、図５（ｂ）に示すような予約選択画面を表示させる。
【００５０】
この予約選択画面では、先に選択設定した番組に対する放送チャンネル、放送日、内容の概略説明等が表示され、録画予約か視聴予約かをユーザに選択させることができる。この選択も、リモートコントローラ１７のカーソルキー１７ｆを操作して録画予約か視聴予約かを選択し、決定キー１７ｇを操作することにより実行される。
【００５１】
そして、制御部６１は、ステップＳ４ｅで、録画予約及び視聴予約のいずれが選択されたかを判別し、視聴予約が選択されたと判断された場合、ステップＳ４ｆで、視聴予約のために設定された各情報を不揮発性メモリ６４に格納して視聴予約設定を完了し、処理を終了（ステップＳ４ｉ）する。このように視聴予約が設定されることにより、選択された番組が自動的に選局され視聴に供されるようになる。
【００５２】
また、上記ステップＳ４ｅで録画予約が選択されたと判断された場合、制御部６１は、ステップＳ４ｇで、図５（ｃ）に示すような録画予約設定画面を表示させる。この録画予約設定画面では、先に選択設定した番組を録画予約するか否かの選択、録画するデジタル録画機器または記録媒体の指定等を行なうことができる。
【００５３】
そして、制御部６１は、録画予約設定画面において録画予約が要求され種々の必要項目が設定された場合に、ステップＳ４ｈで、録画予約のために設定された各情報を不揮発性メモリ６４に格納して録画予約設定を完了し、処理を終了（ステップＳ４ｉ）する。このように録画予約が設定されることにより、選択された番組が、指定されたデジタル録画機器または記録媒体に自動的に録画されるようになる。
【００５４】
上記構成によるデジタル放送受信装置において、以下、図６に示すフローチャートを参照して本発明の特徴とする記録先制御手順について説明する。ここでは、例として、第１のＬＡＮ端子（ここではコンテンツ伝送専用ネットワーク接続とする）２１に接続されるハイビジョン画質の映像信号を記録可能なＬＡＮ対応ＨＤＤ２５と第２のＬＡＮ端子（ここでは上記専用ネットワーク接続に対して汎用ネットワーク接続とする）２２にハブ２６を介して接続されるＬＡＮ対応ＨＤＤ２７とがいずれも記録可能な状態にあり、通常は汎用ネットワーク側のＨＤＤ２７を選択して記録し、ハイビジョン画質の映像信号は専用ネットワーク側のＨＤＤ２５を選択して記録するモードに設定してあるものとする。
【００５５】
ＬＡＮ接続機器の機能については、接続設定時に、機器識別情報、記録位置（パス）情報と共に、図２に示した制御部６１の不揮発性メモリ６４に登録される。これにより、上記ＬＡＮ対応ＨＤＤ２５，２７が第１の端子２１、第２の端子２２のどちらに接続されているか、受信装置側で認識される。
【００５６】
上記の事前設定後、記録コンテンツが入力されたことを判別すると（ステップＳ６ａ）、ビットレートは閾値以上か判断する（ステップＳ６ｂ）。この閾値は、ハイビジョン画質の映像信号の転送レートに対応させておく。これにより、ハイビジョン画質の映像コンテンツが入力された場合には、ビットレートが閾値以上となるため、専用ＬＡＮ側のＨＤＤ２５で記録を開始する（ステップＳ６ｃ）。ビットレートが閾値に満たない場合には、汎用ＬＡＮ側のＨＤＤ２７で記録を開始する（ステップＳ６ｄ）。
【００５７】
ここで、上記ステップＳ６ｄで、汎用ＬＡＮ側のＨＤＤ２７への記録が開始された場合、ステップＳ６ｅにて記録終了を監視し、記録が継続している場合には、ステップＳ６ｆでＱｏＳ（回線サービス品質）が低下して閾値以下になっているか監視し、ステップＳ６ｇで記録中のＨＤＤ２７の記憶領域の残量を監視する。記録中にＱｏｓが閾値以下となる、または記憶領域の残量がなくなるといった状況になった場合には、回線品質が確保されている専用ＬＡＮ側のＨＤＤ２５に記録先を自動的に切り替え、記録が途絶えないようにする（ステップＳ６ｃ）。ステップＳ６ｅで記録が終了した場合には、ステップＳ６ａに戻って、次の記録コンテンツの入力待ちとする。
【００５８】
上記ステップＳ６ｃで専用ＬＡＮ側ＨＤＤ２５の記録が開始された場合には、ステップＳ６ｈで記録終了を監視する。記録が継続している場合には、当該ＨＤＤ２５に外部からのアクセスがあるか監視し（ステップｓ６ｉ）、外部アクセスがあった場合には、記録中を理由にアクセス不許可とする（ステップＳ６ｊ）。ステップＳ６ｈでＨＤＤ２５の記録終了が検出された後に、当該ＨＤＤ２５に外部からアクセスがあった場合にはこれを検知して（ステップＳ６ｋ）、アクセス許可を通知する（ステップＳ６ｌ）。その後、ステップＳ６ａに戻り、次の記録コンテンツの入力待ちとなる。
【００５９】
ここで、上記のように専用ネットワーク対応の第１の端子２１と汎用ネットワーク対応の第２の端子２２を区別している場合、それぞれのＬＡＮ接続機器の設定登録時、記録先指定時などでユーザに両端子の役割が判断可能なように、各端子の表示を区別しておくことが望ましい。図７に機器選択のメニュー表示例を示す。ここでは、第１の端子２１に接続されるネットワークを「ＬＡＮ１」とし、ＨＤＤマークに「Common」を表記する。一方、第２の端子２２に接続されるネットワークを「ＬＡＮ２」とし、ＨＤＤマークに「Common Folder」を表記する。これにより、ユーザは機器選択時に専用ネットワーク側のＨＤＤと汎用ネットワーク側のＨＤＤを誤認しないようにすることができる。
【００６０】
また、図８に番組指定予約の設定入力画面の表示例を示す。この例では、録画設定メニューの記録機器の選択をＬＡＮ２の接続機器を指定しているが、表示画面の下部に示されているように、録画先はＬＡＮ１のＨＤＤに優先して自動録画されることになる。
【００６１】
したがって、上記構成によるデジタルテレビジョン放送受信装置では、コンテンツ記録専用のネットワークと一般通信にも利用する汎用ネットワークとを区別してそれぞれのＬＡＮ端子を設け、ハイビジョン画質の映像信号の記録用に専用ネットワーク側の記録機器を自動的に選択するようにしているので、ネットワーク環境が原因で記録できなかったハイビジョン画質の映像信号を記録することができるようになる。ここで、専用ネットワーク側のＬＡＮ端子に、接続したＬＡＮ対応ＨＤＤの自動登録機能を備えるようにすれば、ＬＡＮケーブルを用いてそのＨＤＤを接続しただけで、記録先として自動的に記録パスを登録することも可能である。
【００６２】
また、コンテンツを記録する際に、ハイビジョンあるいはビットレートが高いコンテンツを自動的に判断して、専用ネットワーク側の端子に接続されたＨＤＤに記録するように設定できるので、ビットレートが高いコンテンツも、汎用ネットワークの障害を回避して専用ネットワーク側のＨＤＤに記録先を変更することが可能となる。
【００６３】
また、汎用ネットワーク側に接続されたＨＤＤに記録している際に、記録しているコンテンツのＱＯＳが低下して記録不能となった場合にも、これを自動的に検知して専用ネットワーク側のＨＤＤに記録先を変更する機能を有している。この機能を備えることで、汎用ネットワーク側のＨＤＤへの記録速度が低下し、最悪記録ができなくなっても、専用ネットワーク側のＨＤＤに記録先を変更することができる。
【００６４】
また、汎用ネットワーク側に接続されたＨＤＤに記録している際に、そのＨＤＤの記録要領がなくなった場合でも、これを自動的に検知して専用ネットワーク側のＨＤＤに記録先を変更する機能を有している。この機能を備えることで、汎用ネットワーク側のＨＤＤで残量以上のコンテンツを記録するような状態となっても、記録容量がなくなった時点で専用ネットワーク側のＨＤＤに記録先を変更することができる。
【００６５】
さらに、専用ネットワーク側ＨＤＤの記録中でＱＯＳを低下させないために、ゲートウェイ機能を持たせている。これにより、専用ネットワーク側のＨＤＤに記録している最中に外部から当該ＨＤＤのアクセス要求があっても、これを制限してＱＯＳ低下を防ぎ、記録を行っていないときのみアクセス要求を受け付けられるようになり、専用ネットワーク側のＨＤＤの有効利用を図ることができる。
【００６６】
以上、この発明は上記した実施の形態そのままに限定されるものではなく、実施段階ではその要旨を逸脱しない範囲で構成要素を種々変形して具体化することができる。また、上記した実施の形態に開示されている複数の構成要素を適宜に組み合わせることにより、種々の発明を形成することができる。例えば、実施の形態に示される全構成要素から幾つかの構成要素を削除しても良いものである。さらに、異なる実施の形態に係る構成要素を適宜組み合わせても良いものである。
【図面の簡単な説明】
【００６７】
【図１】この発明の実施の形態を示すもので、デジタルテレビジョン放送受信装置とそれを中心として構成されるネットワークシステムの一例を概略的に説明するために示す図。
【図２】同実施の形態におけるデジタルテレビジョン放送受信装置の主要な信号処理系を説明するために示すブロック構成図。
【図３】同実施の形態におけるデジタルテレビジョン放送受信装置のリモートコントローラを説明するために示す外観図。
【図４】同実施の形態におけるデジタルテレビジョン放送受信装置に対して、番組指定予約を設定する動作を説明するためのフローチャート。
【図５】同実施の形態におけるデジタルテレビジョン放送受信装置に番組指定予約を設定する際の各種設定画面の一例を説明するために示す図。
【図６】同実施の形態におけるデジタルテレビジョン放送受信装置の記録先制御手順を示すフローチャート。
【図７】同実施の形態におけるデジタルテレビジョン放送受信装置の機器選択のメニュー表示例を示す図。
【図８】同実施の形態におけるデジタルテレビジョン放送受信装置の番組指定予約の設定入力画面の表示例を示す図。
【符号の説明】
【００６８】
１１…デジタルテレビジョン放送受信装置、１２…キャビネット、１３…支持台、１４…映像表示器、１５…スピーカ、１６…操作部、１７…リモートコントローラ、１８…受光部、４３…アンテナ、４４…入力端子、４５…チューナ、４６…ＰＳＫ復調器、４７…信号処理部、４８…アンテナ、４９…入力端子、５０…チューナ、５１…ＯＦＤＭ復調器、５２…チューナ、５３…アナログ復調器、５４…グラフィック処理部、５５…音声処理部、５６ａ〜５６ｄ…入力端子、５７…ＯＳＤ信号生成部、５８…映像処理部、５９…出力端子、６０…出力端子、６１…制御部、６２…ＲＯＭ、６３…ＲＡＭ、６４…不揮発性メモリ、６５…カードＩ／Ｆ（Interface）、６６…カードホルダ、６７…カードＩ／Ｆ、６８…カードホルダ、６９…通信Ｉ／Ｆ、７０…通信Ｉ／Ｆ、７１…ＵＳＢ Ｉ／Ｆ、７２…ｉ．Link Ｉ／Ｆ。
【図１】
2006094438.tif 000003
【図２】
2006094438.tif 000004
【図３】
2006094438.tif 000005
【図４】
2006094438.tif 000006
【図５】
2006094438.tif 000007
【図６】
2006094438.tif 000008
【図７】
2006094438.tif 000009
【図８】
2006094438.tif 000010